(57)【特許請求の範囲】
【請求項１】
外壁に支持されるブラケットと、このブラケットに基端部が支持されて伸縮可能なアームと、このアームの先端側に支持される前枠と、前記ブラケットと前枠とに渡って支持される日除けシートとを備えた日除け装置であって、
前記ブラケットは、前記外壁に支持されるブラケット本体部と、前記日除けシートを支持するシート支持部と、前記アームの基端部を支持するアーム支持部とを有し、これらのブラケット本体部、シート支持部およびアーム支持部が一体に形成され、
前記アームの基端部は、前記アーム支持部に連結されるアーム連結部材を介して前記ブラケットに支持され、
前記アーム支持部には、外壁面に平行かつ水平な基準軸を中心とする円周上で、かつ前記基準軸を通る垂直線の位置よりも前記前枠側に位置する円周上の範囲内のみに径方向外向き凸に配列された複数の係合歯が形成され、当該アーム支持部と前記ブラケット本体部との間が中空状に形成され、
前記アーム連結部材には、前記係合歯に係合する複数の被係合歯が形成され、これらの係合歯と被係合歯との係合により前記アーム連結部材およびアームが前記ブラケットに支持されるとともに、当該係合歯および被係合歯の係合位置に応じて前記アームの突出角度が複数段階に変更可能に構成されている日除け装置。
【請求項２】
前記ブラケットは、前記複数の係合歯を含めて前記ブラケット本体部、シート支持部およびアーム支持部が押出成形によって一体に形成されたアルミ形材製である請求項１に記載の日除け装置。
【請求項３】
前記アーム連結部材における前記複数の被係合歯は、前記係合歯よりも所定個数だけ少なく形成されている請求項１または請求項２に記載の日除け装置。
【請求項４】
前記ブラケットには、前記基準軸の位置を貫通する第１貫通孔が設けられ、
前記アーム連結部材は、前記アーム支持部に隣接する平板状の連結部材本体部と、この連結部材本体部を貫通する第２貫通孔とを有して構成され、前記連結部材本体部から側方に突出して形成された前記複数の被係合歯を前記係合歯に係合するとともに、前記第２貫通孔および前記第１貫通孔に挿通したボルトとナットとによって前記アーム支持部に固定されている請求項１から請求項３のいずれかに記載の日除け装置。
【請求項５】
前記ブラケットは、前記外壁に固定されて左右に延びるベースを介して当該外壁に支持され、
前記ベースには、前記ブラケットを係止可能な係止部が当該ベースの長手方向に沿って形成され、前記ブラケットの上端部には、前記係止部に係止される被係止部が形成されている請求項１から請求項４のいずれかに記載の日除け装置。
【請求項６】
前記アームの先端と前記前枠とは、アーム先端部材および前枠連結部材を介して連結され、これらのアーム先端部材および前枠連結部材の一方には、他方に固着する固着具が設けられるとともに、他方には、前記固着具と固着可能な複数の被固着部が設けられ、
前記複数の被固着部は、前記複数段階のアームの突出角度に応じた所定角度ごとに形成されている請求項１から請求項５のいずれかに記載の日除け装置。
【発明の詳細な説明】
【技術分野】
【０００１】
本発明は、日除け装置に関し、詳しくは、外壁面から突出して設けられ、アームの伸縮によって張り出し可能かつ格納可能に構成された日除け装置に関する。
【背景技術】
【０００２】
従来、外壁面から張り出し可能かつ格納可能に設けられる可動式の日除け装置として、外壁に固定される固定パイプと、この固定パイプに取り付けられるハウジングと、このハウジングに基端部が支持される折り畳み式のアームと、アーム先端部に固定される前棒と、この前棒に端縁が連結されて外壁側に巻き取り可能に設けられるテント布（シート）とを備えたものが知られている（例えば、特許文献１参照）。
この日除け装置において、ハウジングとアーム基端部とは、中間子を介して連結され、この中間子がハウジングに挿入されて位置決め固定されるとともに、中間子の内周面に形成された歯形とアーム基端部の外周面に形成された歯形とが係合することで、アームが上下回転不能に支持されるようになっている。さらに、中間子およびアーム基端部の歯形同士の係合位置を変更することで、外壁面からのアームの突出角度が調節できるように構成されている。
【０００３】
【特許文献１】実開平２−１０７６４４号公報
【発明の開示】
【発明が解決しようとする課題】
【０００４】
しかしながら、特許文献１に記載された従来の日除け装置では、ハウジングとアーム基端部とが中間子を介して連結されるため、この中間子自体や、中間子をハウジングに固定するためのボルト、中間子の位置を調節するためのネジなど、部品点数が多くなってしまう。そして、部品点数が多くなればなるほど部品同士の間のクリアランスが突出角度の調節に大きな影響を及ぼすため、組立性が悪化するとともに部品コストが増加するという問題がある。
【０００５】
本発明の目的は、コストを抑制しつつ組立性が良好にできる突出角度調節機能を備えた日除け装置を提供することにある。
【課題を解決するための手段】
【０００６】
本発明の日除け装置は、外壁に支持されるブラケットと、このブラケットに基端部が支持されて伸縮可能なアームと、このアームの先端側に支持される前枠と、前記ブラケットと前枠とに渡って支持される日除けシートとを備えた日除け装置であって、前記ブラケットは、前記外壁に支持されるブラケット本体部と、前記日除けシートを支持するシート支持部と、前記アームの基端部を支持するアーム支持部とを有し、これらのブラケット本体部、シート支持部およびアーム支持部が一体に形成され、前記アームの基端部は、前記アーム支持部に連結されるアーム連結部材を介して前記ブラケットに支持され、前記アーム支持部には、外壁面に平行かつ水平な基準軸を中心とする円周上で、かつ前記基準軸を通る垂直線の位置よりも前記前枠側に位置する円周上の範囲内のみに径方向外向き凸に配列された複数の係合歯が形成され、当該アーム支持部と前記ブラケット本体部との間が中空状に形成され、前記アーム連結部材には、前記係合歯に係合する複数の被係合歯が形成され、これらの係合歯と被係合歯との係合により前記アーム連結部材およびアームが前記ブラケットに支持されるとともに、当該係合歯および被係合歯の係合位置に応じて前記アームの突出角度が複数段階に変更可能に構成されていることを特徴とする。
【０００７】
以上の本発明によれば、ブラケットのアーム支持部に形成した係合歯とアーム連結部材に形成した被係合歯とを係合させることで、アーム連結部材を介してアームが上下回動不能に支持できるとともに、係合歯および被係合歯の係合位置を適宜変更することでアームの突出角度を複数段階に調節することができる。そして、ブラケットにおいて、ブラケット本体部およびシート支持部と、係合歯が形成されたアーム支持部とが一体に形成されているので、このブラケットのアーム支持部にアーム連結部材を介してアームの基端部を連結するだけでよく、他の中間部材が不要にできる。従って、部品点数を削減してコストを低減することができるとともに、部品点数が少なくなることから、突出角度の調節に対して部品同士の間のクリアランスが及ぼす影響が小さくでき、当該日除け装置の組立に要する手間や時間を減少させることができ、組立性を向上させることができる。
【０００８】
この際、本発明の日除け装置では、前記ブラケットは、前記複数の係合歯を含めて前記ブラケット本体部、シート支持部およびアーム支持部が押出成形によって一体に形成されたアルミ形材製であることが好ましい。
このような構成によれば、ブラケットが複数の係合歯を含めて成形されたアルミ形材製であることで、アルミダイカスト製や切削加工によって製造されたものと比較して、製造コストの低減を図ることができる。
【０００９】
さらに、本発明の日除け装置では、前記アーム連結部材における前記複数の被係合歯は、前記係合歯よりも所定個数だけ少なく形成されていることが好ましい。
このような構成によれば、ブラケットの係合歯よりもアーム連結部材の被係合歯の個数を少なく形成したことで、アームの突出角度を変更する際にアーム連結部材を回転させて係合位置を選択する際に、被係合歯が余らないようにできる。従って、アーム連結部材に余分な被係合歯を形成しておく必要がなくなり、アーム連結部材の軽量化および小型化を図ることができ、製造コストのさらなる低減を図ることができる。
【００１０】
また、本発明の日除け装置では、前記ブラケットには、前記基準軸の位置を貫通する第１貫通孔が設けられ、前記アーム連結部材は、前記アーム支持部に隣接する平板状の連結部材本体部と、この連結部材本体部を貫通する第２貫通孔とを有して構成され、前記連結部材本体部から側方に突出して形成された前記複数の被係合歯を前記係合歯に係合するとともに、前記第２貫通孔および前記第１貫通孔に挿通したボルトとナットとによって前記アーム支持部に固定されていることが好ましい。
このような構成によれば、ブラケットの係合歯とアーム連結部材の被係合歯との係合に加えて、第１貫通孔および第２貫通孔を通したボルトおよびナットによってアーム支持部にアーム連結部材を固定することで、固定強度を高めることができる。そして、第１および第２の貫通孔とボルトおよびナットとで固定することで、係合歯や被係合歯を形成する円周の角度が１８０°未満であっても、アーム連結部材を確実に固定することができ、係合歯や被係合歯を３６０°の全周に渡って形成する必要がなくなり、アーム支持部やアーム連結部材の小型化を促進させることができる。また、第１および第２の貫通孔が基準軸の位置を貫通して形成されていることで、アーム連結部材を回転させてアームの突出角度を変更しても、第１および第２の貫通孔同士がずれることがなく、ボルトを容易に挿通することができる。
【００１１】
また、本発明の日除け装置では、前記ブラケットは、前記外壁に固定されて左右に延びるベースを介して当該外壁に支持され、前記ベースには、前記ブラケットを係止可能な係止部が当該ベースの長手方向に沿って形成され、前記ブラケットの上端部には、前記係止部に係止される被係止部が形成されていることが好ましい。
このような構成によれば、先ず、ベースを水平に位置決めした状態で外壁に固定しておき、このベースの係止部にブラケットの被係止部を係止させてからブラケットをベースや外壁に固定することで、少なくとも一対のブラケット同士の取付位置を適正にすることができ、日除け装置全体の水平精度が確保できる。さらに、ブラケットをベースに係止させた状態で固定作業が実施できるので、取付作業の効率化が一層向上できる。
【００１２】
また、本発明の日除け装置では、前記アームの先端と前記前枠とは、アーム先端部材および前枠連結部材を介して連結され、これらのアーム先端部材および前枠連結部材の一方には、他方に固着する固着具が設けられるとともに、他方には、前記固着具と固着可能な複数の被固着部が設けられ、前記複数の被固着部は、前記複数段階のアームの突出角度に応じた所定角度ごとに形成されていことが好ましい。
このような構成によれば、アームの先端に対してアーム先端部材および前枠連結部材を介して前枠を連結し、これらのアーム先端部材と前枠連結部材とが複数の被固着部によって角度調節可能に構成されているので、アームの突出角度を変更した場合でも前枠の取り付け角度を外壁に対して一定にすることができ、日除け装置の外観が良好にできる。
【発明を実施するための最良の形態】
【００１３】
以下、本発明の実施形態を図面に基づいて説明する。
図１は、本発明の実施形態に係る日除け装置１を示す斜視図である。図２は、日除け装置１を示す縦断面図である。図３は、日除け装置１の要部を示す縦断面図である。
図１〜図３において、日除け装置１は、外壁２の壁面（外壁面２Ａ）から突出して設けられたもので、外壁２を構成する建物躯体に固定されている。この日除け装置１は、外壁面２Ａに移動不能に固定される装置本体部１Ａと、この装置本体部１Ａから屋外側（外壁２から離れる方向側）に突没自在に設けられる日除け部１Ｂとを備えて構成されている。装置本体部１Ａは、ベース３と、このベース３を介して建物躯体に固定される一対のブラケット４と、これら一対のブラケット４に渡って取り付けられる上面カバー５および下面カバー６と、各ブラケット４の側面に取り付けられる側面カバー７とを有して構成されている。そして、日除け部１Ｂは、一対のブラケット４の各々に支持されて屈伸動作によって伸縮可能な一対のアーム１０と、これら一対のアーム１０の先端に渡って設けられる前枠２０と、一対のブラケット４に渡って支持されるとともに前枠２０に連結された日除けシート３０と、一対のアーム１０を伸縮駆動させる図示しない操作部とを有して構成されている。
【００１４】
アーム１０は、ブラケット４側（基端側）に設けられる第１アーム部材１１と、前枠２０側（先端側）に設けられる第２アーム部材１２と、これら第１および第２のアーム部材１１，１２同士を回動自在に連結する連結ピン１３とを備えて構成されている。そして、第１アーム部材１１の基端部には、ブラケット４に連結されるアーム連結部材１４が取り付けられている。また、第２アーム部材１２の先端部には、後述するアーム先端部材１５（図７〜図１１参照）が取り付けられており、前枠２０に固定される前枠連結部材２３とアーム先端部材１５とが連結されることで、アーム１０に前枠２０が連結されるようになっている。
【００１５】
前枠２０は、アルミ形材製で長尺状の前枠本体２１と、この前枠本体２１の上部に取り付けられて日除けシート３０のシート布３２先端部を保持するシート保持部材２２と、前枠本体２１の外壁側側面に固定されてアーム先端部材１５と連結される前枠連結部材２３（図７〜図１１参照）とを有して構成されている。また、前枠２０の左右両端部近傍における前枠本体２１の外壁側側面には、ブラケット４の位置決め部材４８に摺接して格納時の前枠２０を位置決めする摺接部材２４が取り付けられている。さらに、前枠２０におけるシート保持部材２２には、シート布３２の先端部材３３を嵌合して保持する嵌合部２２Ａと、上部にて外壁２から離れる方向側に向かって下方に傾斜した傾斜面２２Ｂとが形成されている。この傾斜面２２Ｂは、日除けシート３０を巻き取って前枠２０を格納した際に、上面カバー５の先端部下端縁に摺接または近接して内側に入り込み、これにより前枠２０と上面カバー５とが所定の状態に納まるように構成されている。
【００１６】
日除けシート３０は、ブラケット４に軸支される巻き取り軸３１と、この巻き取り軸３１に巻き付けられたシート布３２とを備え、図示しない駆動機構によってシート布３２が装置本体部１Ａ側に緊張されている。そして、シート布３２の先端部には、棒状の先端部材３３が設けられており、この先端部材３３が前枠２０におけるシート保持部材２２の嵌合部２２Ａに保持されている。このような日除けシート３０では、張り出し時におけるアーム１０を介した前枠２０の伸張（外壁２から離れる方向への前進）に伴い、緊張力に抗してシート布３２が外壁２から離れる方向に繰り出され、一方、格納時における前枠２０の外壁側への後退に伴い、駆動機構に緊張されたシート布３２が巻き取り軸３１に巻き取られるようになっている。
【００１７】
次に、日除け装置１における装置本体部１Ａの構造について、図４〜図６も参照して詳しく説明する。
図４は、装置本体部１Ａの構造を示す分解斜視図である。図５は、ブラケット４とアーム１０の連結部分を示す正面図である。図６は、ブラケット４に対するアームの連結構造を分解して示す正面図である。
ベース３は、左右に延びて長尺なアルミ形材製の部材であって、外壁面２Ａに沿って設けられる背面部３Ａと、この背面部３Ａの前枠２０側側面にて左右に延びて形成された上下２本の固定溝部３Ｂと、背面部３Ａの上端縁にて左右に延びて形成されブラケット４を係止する係止部３Ｃと、背面部３Ａの下端縁にて左右に延びかつ前枠２０側に突出した突出片部３Ｄとを有して構成されている。このようなベース３は、外壁面２Ａに沿って配置されるとともに、当該ベース３の長手方向が水平となるように保持された状態で、背面部３Ａを貫通するビス３Ｅを建物躯体に螺合することによって、外壁２に固定されるようになっている。そして、ベース３の２本の固定溝部３Ｂには、ブラケット４を固定する固定ボルト４７Ａの頭部が挿通され、その先端が前枠２０側に突出した状態で固定ボルト４７Ａが保持されるようになっている。
【００１８】
ブラケット４は、ピース状のアルミ形材製の部材であって、アルミの押出成形によって一体形成された長尺材を所定幅に切断して製作されている。このブラケット４は、ベース３を介して外壁２に支持される上下に延びたブラケット本体部４１と、このブラケット本体部４１の上端部に連続して設けられ日除けシート３０の巻き取り軸３１を支持するシート支持部４２と、ブラケット本体部４１の下端部に連続して前枠２０側に延びるブラケット底辺部４３と、シート支持部４２とブラケット底辺部４３とに連続するとともに前枠２０側に突出してアーム連結部材１４と連結されるアーム支持部４４とを有して構成されている。さらに、ブラケット本体部４１の上端部には、外壁側に屈曲して形成されてベース３の係止部３Ｃに係止される被係止部４５が設けられ、ブラケット本体部４１の下端部およびブラケット底辺部４３には、下面カバー６を取り付けるための凹部４６Ａおよび凸部４６Ｂが形成されている。
【００１９】
そして、ブラケット本体部４１には、上下２箇所にボルト挿通孔４１Ａが形成されており、これらのボルト挿通孔４１Ａにベース３から突出した固定ボルト４７Ａを挿通させるとともに、これらの固定ボルト４７Ａにブラケット本体部４１の前枠２０側からナット４７Ｂを締め付けることで、ブラケット４がベース３に固定されるようになっている。また、シート支持部４２には、略円筒状に形成されて日除けシート３０の巻き取り軸３１を挿通して固定する軸固定部４２Ａと、この軸固定部４２Ａの上下に連続して傾斜した上面カバー支持部４２Ｂとが形成されている。そして、上面カバー５は、図２に示すように、上面カバー支持部４２Ｂにビス止め固定したカバー支持材５Ａを介してブラケット４に取り付けられている。また、ブラケット４の側面（装置本体部１Ａの両端部外側の側面）には、前枠２０の摺接部材２４に摺接して格納時に前枠２０を上方に押し上げつつ位置決めする位置決め部材４８が取り付けられている。この位置決め部材４８には、前枠２０側に向かって下方に傾斜した摺接傾斜面４８Ａが形成されており、この摺接傾斜面４８Ａと摺接部材２４の傾斜面２４Ａとが摺接可能になっている。そして、位置決め部材４８は、２本のビス４８Ｂによってブラケット４のアーム支持部４４に固定されている。
【００２０】
また、ブラケット４のアーム支持部４４には、外壁面２Ａに沿って水平な（つまり、ブラケット４の押し出し成形方向に沿った）基準軸の位置を貫通する第１貫通孔であるボルト挿通孔４４Ａと、このボルト挿通孔４４Ａの中心軸回りに配列された複数の係合歯４４Ｂとが形成されている。ボルト挿通孔４４Ａには、アーム支持部４４とアーム連結部材１４とを固定するボルト４４Ｃが挿通され、このボルト４４Ｃには、位置決め部材４８の外側からナット４４Ｄが螺合されるようになっている。また、複数の係合歯４４Ｂは、ボルト挿通孔４４Ａの中心軸（基準軸）を中心とする円周上であって、前枠２０側に向かって略半円形状に突出した円周上の範囲に設けられており、係合歯４４Ｂ同士は、中心軸まわりに等ピッチ、例えば１５°ピッチで配列されている。
【００２１】
一方、アーム連結部材１４は、アーム支持部４４の側面（位置決め部材４８と反対側の側面）に隣接する円盤状の連結部材本体部１４Ａと、この連結部材本体部１４Ａを貫通する第２貫通孔であるボルト挿通孔１４Ｂと、連結部材本体部１４Ａから側方に突出して形成された複数の被係合歯１４Ｃと、被係合歯１４Ｃの反対側に連結部材本体部１４Ａから突出して形成された一対のフランジ部１４Ｄとを有して形成されている。このアーム連結部材１４は、例えば、アルミダイカスト製やアルミ削り出しにより製作された一体成形品であってもよく、また連結部材本体部１４Ａと被係合歯１４Ｃやフランジ部１４Ｄとが別体で成形された後に溶接等で接合された組立品であってもよい。そして、アーム連結部材１４は、そのボルト挿通孔１４Ｂがブラケット４におけるアーム支持部４４のボルト挿通孔４４Ａに連続し、被係合歯１４Ｃがアーム支持部４４の係合歯４４Ｂに係合した状態で、ブラケット４の側面にセットされるようになっている。
【００２２】
すなわち、アーム連結部材１４のボルト挿通孔１４Ｂは、アーム支持部４４のボルト挿通孔４４Ａと同軸に形成されるとともに、複数の被係合歯１４Ｃは、ボルト挿通孔１４Ｂの中心軸を中心とする円周上であって、アーム支持部４４の係合歯４４Ｂの外周に沿った略半円形状の範囲に等ピッチ、例えば１５°ピッチで配列されている。また、アーム連結部材１４の被係合歯１４Ｃの個数は、係合歯４４Ｂよりも１つだけ少なく形成されており、後述するようにアーム１０の突出角度を変更する際に、アーム連結部材１４を回転させて係合歯４４Ｂと被係合歯１４Ｃとの係合位置が変更された場合でも、係合歯４４Ｂおよび被係合歯１４Ｃの余る個数が最小となるように設定されている。このようなアーム連結部材１４は、被係合歯１４Ｃをアーム支持部４４の係合歯４４Ｂに係合させるとともに、ボルト挿通孔１４Ｂ，４４Ａを貫通したボルト４４Ｃにナット４４Ｄを螺合して締め付けることで、ブラケット４に固定される。また、アーム連結部材１４の一対のフランジ部１４Ｄ間には、第１アーム部材１１の端部部材１１Ａが連結ピン１１Ｂを介して連結され、これによりアーム１０の基端部がアーム連結部材１４を介してブラケット４に支持されるようになっている。
【００２３】
次に、前枠２０とアーム１０の先端部との連結構造について、図７および図８も参照して詳しく説明する。ここで、図７は、前枠２０とアーム１０の連結部分を示す縦断面図である。図８は、前枠２０とアーム１０の連結構造を分解して示す斜視図である。
アーム１０の第２アーム部材１２先端には、端部部材１２Ａおよび連結ピン１２Ｂを介してアーム先端部材１５が回動自在に取り付けられている。このアーム先端部材１５は、端部部材１２Ａおよび連結ピン１２Ｂに連結される第１連結部１５Ａと、前枠連結部材２３に連結される第２連結部１５Ｂとを有して形成され、第２連結部１５Ｂが外壁側からのビス１５Ｃによってアーム先端部材１５が前枠連結部材２３に固定される。
【００２４】
一方、前枠２０の前枠本体２１には、当該前枠本体２１の長手方向に沿って連続し外壁側に向かって開いた凹み部２１Ａと、この凹み部２１Ａの底に設けられた断面略Ｃ字形の係合溝２１Ｂとが形成されている。そして、前枠本体２１の凹み部２１Ａには、アーム先端部材１５と連結される前枠連結部材２３が設けられ、この前枠連結部材２３を外壁側から貫通するボルト２３Ａを、係合溝２１Ｂ内部に設けられたナット２３Ｂに螺合させることで、前枠連結部材２３が前枠本体２１に固定されるようになっている。また、前記摺接部材２４も前枠連結部材２３と略同様に、凹み部２１Ａに沿ってセットされた状態で、当該摺接部材２４を貫通するボルト２４Ｂを係合溝２１Ｂ内部のナットに螺合させて前枠本体２１に固定されている。
【００２５】
また、アーム先端部材１５における第２連結部１５Ｂの前枠２０側（外壁２側と反対側）には、円弧状に形成した当接面１５Ｄが形成され、前枠連結部材２３の外壁２側には、円弧状に形成した当接面２３Ｃが形成されている。そして、当接面１５Ｄと当接面２３Ｃとを当接させるとともに、アーム先端部材１５を貫通する固着具としてのビス１５Ｃを前枠連結部材２３に螺合させることで、アーム先端部材１５と前枠連結部材２３とが互いに連結されるようになっている。この前枠連結部材２３において、ビス１５Ｃと螺合する被固着部としてのビス孔２３Ｄは、上下に三段で設けられており、これら三段のビス孔２３Ｄのうち、いずれか段のビス孔２３Ｄを選択してビス１５Ｃを螺合させることで、アーム先端部材１５と前枠連結部材２３との連結角度が変更できるように構成されている。
【００２６】
次に、日除け装置１における日除け部１Ｂ（アーム１０、前枠２０および日除けシート３０）の突出角度θを設定する設定方法について、図９〜図１１も参照して詳しく説明する。ここで、図９〜図１１は、それぞれ異なる突出角度θ１〜θ３に設定した状態の日除け装置１の要部を示す縦断面図である。すなわち、本実施形態において、日除け装置１は、装置本体部１Ａに対する日除け部１Ｂの突出角度が俯角で三段階に設定できるようになっており、具体的には、図９において突出角度θ１は１５°に設定され、図１０において突出角度θ２は３０°に設定され、図１１において突出角度θ３は４５°に設定されている。このような各突出角度θ１〜θ３に設定するには、アーム１０の基端部において、アーム連結部材１４とアーム支持部４４との係合位置を変更するとともに、アーム１０の先端部において、アーム先端部材１５と前枠連結部材２３との連結位置を変更する。
【００２７】
すなわち、図９に示すように、突出角度θを１５°（θ１＝１５°）に設定する場合には、アーム支持部４４の複数の係合歯４４Ｂのうち、最上段の係合歯４４Ｂよりも上側かつ外壁側となるように、アーム連結部材１４の最上段の被係合歯１４Ｃを係合させるとともに、複数の係合歯４４Ｂのうち、最下段の係合歯４４Ｂを余らせて最下段から二番目と三番目の係合歯４４Ｂ間にアーム連結部材１４の最下段の被係合歯１４Ｃを係合させ、これらの間に位置する他の係合歯４４Ｂと被係合歯１４Ｃとを互いに係合させる。そして、アーム先端部において、前枠連結部材２３の三段のビス孔２３Ｄのうち、最上段のビス孔２３Ｄにアーム先端部材１５からのビス１５Ｃを螺合させることで、前枠連結部材２３が略垂直に連結され、これにより前枠２０が図２および図７に示す状態に支持されることとなる。
【００２８】
次に、図１０に示すように、突出角度θを３０°（θ２＝３０°）に設定する場合には、アーム支持部４４の最上段と最上段から二番目の係合歯４４Ｂ間にアーム連結部材１４の最上段の被係合歯１４Ｃを係合させるとともに、最下段と最下段から二番目の係合歯４４Ｂ間に最下段の被係合歯１４Ｃを係合させ、これらの間に位置する他の係合歯４４Ｂと被係合歯１４Ｃとを互いに係合させる。そして、アーム先端部において、前枠連結部材２３の三段のビス孔２３Ｄのうち、中段のビス孔２３Ｄにビス１５Ｃを螺合させてアーム先端部材１５と前枠連結部材２３とを連結することで、前枠連結部材２３が図９の場合と同様に略垂直に連結され、前枠２０が図２および図７に示す状態に支持されることとなる。
【００２９】
次に、図１１に示すように、突出角度θを４５°（θ３＝４５°）に設定する場合には、アーム支持部４４の最上段の係合歯４４Ｂを余らせて最上段から二番目と三番目の係合歯４４Ｂ間にアーム連結部材１４の最上段の被係合歯１４Ｃを係合させるとともに、最下段の係合歯４４Ｂよりも下側かつ外壁側となるように最下段の被係合歯１４Ｃを係合させ、これらの間に位置する他の係合歯４４Ｂと被係合歯１４Ｃとを互いに係合させる。そして、アーム先端部において、前枠連結部材２３の三段のビス孔２３Ｄのうち、最下段のビス孔２３Ｄにビス１５Ｃを螺合させてアーム先端部材１５と前枠連結部材２３とを連結することで、前枠連結部材２３が図９、１０の場合と同様に略垂直に連結され、前枠２０が図２および図７に示す状態に支持されることとなる。
【００３０】
このような本実施形態によれば、以下のような効果がある。
（１）すなわち、ブラケット４にアーム支持部４４が一体に形成されるとともに、このアーム支持部４４に係合歯４４Ｂが設けられているので、別部材を用いなくても係合歯４４Ｂに係合させてアーム連結部材１４を支持することができ、部品点数を削減することができる。そして、係合歯４４Ｂと被係合歯１４Ｃとの係合位置を変更することによって、アーム１０つまり日除け部１Ｂの突出角度が複数段階に設定できるので、簡便な構造によって日除け部１Ｂの突出角度の調節機構が構成できる。従って、日除け部１Ｂ突出角度の調節機構を有した日除け装置１において、部品点数が削減できることから製造コストを低減することができるとともに、日除け部１Ｂの突出角度の調節における部品同士のクリアランスの影響が小さくでき、当該日除け装置１の組立に要する手間や時間を減少させて組立性を向上させることができる。
【００３１】
（２）さらに、ブラケット本体部４１、シート支持部４２、ブラケット底辺部４３、および複数の係合歯４４Ｂを含むアーム支持部４４が押出成形によって一体に形成されたアルミ形材製のブラケット４を採用したことで、アルミダイカスト製や切削加工によって製造されたものと比較して、製造コストを大幅に低減させることができる。さらに、ブラケット４のアーム支持部４４が前枠２０側に向かって略半円形状に突出して形成され、このアーム支持部４４の外周に沿って複数の係合歯４４Ｂが配列されている（係合歯４４Ｂは、基準軸を通る垂直線の位置よりも前枠２０側に位置する円周上の範囲内にのみ形成されている）ことで、アーム連結部材１４との連結強度（係合歯４４Ｂの個数）を確保しつつ、ブラケット４の大型化を防止することができる。
【００３２】
（３）また、ブラケット４のアーム支持部４４の係合歯４４Ｂとアーム連結部材１４の被係合歯１４Ｃとの係合に加えて、ボルト挿通孔４４Ａ，１４Ｂを通したボルト４４Ｃおよびナット４４Ｄによってアーム支持部４４にアーム連結部材１４が固定されるので、これらの連結強度を高めることができる。そして、ボルト挿通孔４４Ａ，１４Ｂとボルト４４Ｃおよびナット４４Ｄとによってアーム支持部４４とアーム連結部材１４とが固定されることで、係合歯４４Ｂと被係合歯１４Ｃとの係合箇所数が少なくでき、アーム支持部４４やアーム連結部材１４の小型化を促進させることができる。
【００３３】
（４）また、アーム１０の先端部において、アーム先端部材１５および前枠連結部材２３を介して前枠２０が連結されるとともに、前枠連結部材２３に設けた三段のビス孔２３Ｄのうち適宜な段のビス孔２３Ｄにアーム先端部材１５からのビス１５Ｃを螺合することによって、アーム１０と前枠２０との取り付け角度を調節することができる。従って、アーム支持部４４とアーム連結部材１４とによってアーム１０の突出角度を変更した場合に、この突出角度に応じて前枠２０の取り付け角度を調節することができ、外壁面２Ａや装置本体部１Ａ（上面カバー５や下面カバー６等）に対する前枠２０の納まりを一定にして日除け装置１の外観が良好にできる。
【００３４】
（５）また、ブラケット４は、ベース３の係止部３Ｃに被係止部４５が係止された状態で、ベース３から突出した固定ボルト４７Ａをブラケット本体部４１のボルト挿通孔４１Ａに挿通させるとともに、これらの固定ボルト４７Ａに前枠２０側からナット４７Ｂを締め付けて固定されるので、ブラケット４の固定作業を効率的に実施することができる。さらに、予め外壁２に対してベース３を水平に位置決めした状態で固定しておき、このベース３にブラケット４を固定することで、左右のブラケット４同士が同一高さ位置に取り付けられ、日除け装置１全体の水平精度が確保できるとともに、外壁２から離れる方向に突出させた際の日除け部１Ｂの歪みを防止することができる。
【００３５】
なお、本発明は、前記実施形態に限定されるものではなく、本発明の目的が達成できる他の構成等を含み、以下に示すような変形等も本発明に含まれる。
例えば、前記実施形態においては、ブラケット４およびアーム１０が左右一対で設けられていたが、これに限らずブラケット４およびアーム１０がそれぞれ３箇所以上に設けられていてもよい。
また、前記実施形態において、アーム１０は、回動自在に連結された第１および第２のアーム部材１１，１２の屈伸動作によって伸縮可能に構成されていたが、アームの伸縮機構としては、屈伸動作によるものに限らず、複数のアーム部材同士が同軸上に進退可能に構成されたものなど、任意の形態が適用可能である。
また、前記実施形態において、係合歯４４Ｂは、基準軸（中心軸）を通る垂直線の位置よりも前枠２０側に位置する円周上の範囲全域には形成されておらず、その範囲の一部にのみ形成されていたが、この範囲全域に係合歯を形成してもよい。
【００３６】
また、前記実施形態では、アーム１０の先端部において、アーム先端部材１５および前枠連結部材２３を介して前枠２０をアーム１０に連結し、これらのアーム先端部材１５および前枠連結部材２３によって前枠２０の取り付け角度が調節可能に構成されていたが、このような取り付け角度調節機構は必須ではなく、適宜省略してアーム１０の先端に前枠２０を直接固定してもよい。
また、前記実施形態では、日除けシート３０として、巻き取り軸３１にシート布３２を巻き付けたタイプのものを採用したが、これに限らず、日除けシートとしては、前枠２０の進退移動に伴って繰り出し、格納可能なものであればよく、例えば、蛇腹状の折り畳み収納可能なタイプのシートや、シート布自体が伸縮可能なタイプのシートなど、任意の形態のものが利用可能である。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本発明の実施形態に係る日除け装置を示す斜視図である。
【図２】前記日除け装置を示す縦断面図である。
【図３】前記日除け装置の要部を示す縦断面図である。
【図４】前記日除け装置の装置本体部の構造を示す分解斜視図である。
【図５】前記日除け装置のブラケットとアームの連結部分を示す正面図である。
【図６】前記ブラケットに対するアームの連結構造を分解して示す正面図である。
【図７】前記日除け装置の前枠とアームの連結部分を示す縦断面図である。
【図８】前記前枠とアームの連結構造を分解して示す斜視図である。
【図９】前記日除け装置における突出角度の設定方法を示す縦断面図である。
【図１０】前記突出角度を変更した状態を示す縦断面図である。
【図１１】前記突出角度を変更した状態を示す縦断面図である。
【符号の説明】
【００３９】
１…日除け装置、２…外壁、２Ａ…外壁面、３…ベース、３Ｃ…係止部、４…ブラケット、１０…アーム、１４…アーム連結部材、１４Ａ…連結部材本体部、１４Ｂ…ボルト挿通孔（第２貫通孔）、１４Ｃ…被係合歯、１５…アーム先端部材、１５Ｃ…ビス（固着具）、２０…前枠、２３…前枠連結部材、２３Ｄ…ビス孔（被固着部）、３０…日除けシート、４１…ブラケット本体部、４２…シート支持部、４４…アーム支持部、４４Ａ…ボルト挿通孔（第１貫通孔）、４４Ｂ…係合歯、４４Ｃ…ボルト、４４Ｄ…ナット、４５…被係止部。
【図１】
0004769833.tif 000002
【図２】
0004769833.tif 000003
【図３】
0004769833.tif 000004
【図４】
0004769833.tif 000005
【図５】
0004769833.tif 000006
【図６】
0004769833.tif 000007
【図７】
0004769833.tif 000008
【図８】
0004769833.tif 000009
【図９】
0004769833.tif 000010
【図１０】
0004769833.tif 000011
【図１１】
0004769833.tif 000012